(57)【要約】【課題】建物の支持基材に隅棟梁を簡易かつ強固に支持すること。【解決手段】建物の隅棟１１に沿って傾斜配置される斜材３１を有し、該斜材３１の下端部が支持基材（柱２１、壁２２）に支持される隅棟梁３０であって、斜材３１の下端部が水平に切断され、この水平切断部に水平板３２を一体に形成し、この水平板３２を支持基材（柱２１、壁２２）に接合可能にするもの。【選択図】  図１
2004285674.tif 000002
【特許請求の範囲】
【請求項１】
建物の隅棟に沿って傾斜配置される斜材を有し、該斜材の下端部が支持基材に支持される隅棟梁であって、
斜材の下端部が水平に切断され、この水平切断部に水平板を一体に形成し、この水平板を支持基材に接合可能にする隅棟梁。
【請求項２】
前記水平板が、支持基材の上面から突出するボルトを通す貫通孔を備える請求項１に記載の隅棟梁。
【請求項３】
前記水平板が、支持基材に止着されるビスのためのビス孔を備える請求項１又は２に記載の隅棟梁。
【発明の詳細な説明】
【０００１】
【発明の属する技術分野】
本発明は、建物の屋根のコーナー部で任意の勾配の屋根材を支持する隅棟梁に関する。
【０００２】
【従来の技術】
従来、建物の柱等の支持基材に隅棟梁を支持する構造として、特許文献１〜４等に記載のものがある。
【０００３】
特許文献１は、建物の支持基材の上面に基板を固定し、基板に立設した２枚の起立板の間に形成した嵌合溝に隅棟梁の下端部を挿入して起立板により挟持固定するものを開示している。
【０００４】
特許文献２は、建物の支持基材の上面に位置決め用固定板を固定し、この固定板に立設した２枚の起立板の間に形成した嵌合溝に隅棟梁の下端部を挿入して起立板により挟持固定するものを開示している。
特許文献３は、建物の支持基材の上面に取付板を固定し、この取付板に立設した２枚の起立板の間に形成した嵌合溝に隅棟梁の下端部を挿入して起立板により挟持固定するものを開示している。
【０００５】
特許文献４は、建物の支持基材の上面に２枚の挟着具を固定し、この挟着具の間に隅棟梁の下端部を挿入して挟着固定するものを開示している。
【０００６】
【特許文献１】
特許２８２６７０４（１頁、図１）
【特許文献２】
実公昭６４−２８９６（１頁、第２図、第３図）
【特許文献３】
実公昭５５−５２９７９（１頁、第１図）
【特許文献４】
実公昭５５−４３２１９（１頁、第２図）
【０００７】
【発明が解決しようとする課題】
特許文献１〜４のいずれも以下の問題点がある。
▲１▼隅棟梁の梁本体と別体の基板、位置決め用固定板、取付板、挟着具等の接続具を用いるものであり、現場において例えば基板を支持基材に固定し、基板に設けてある２枚の起立板の間に隅棟梁を挿入して挟持固定する如くの多くの作業工数を必要とする。
【０００８】
▲２▼隅棟梁を建物の柱に直接的に接合するものでなく、上述▲１▼の接続具や水平梁を介して柱に接続するものであり、屋根に作用する吹上力に対する耐力が十分でない。
【０００９】
本発明の課題は、建物の支持基材に隅棟梁を簡易かつ強固に支持することにある。
【００１０】
【課題を解決するための手段】
請求項１の発明は、建物の隅棟に沿って傾斜配置される斜材を有し、該斜材の下端部が支持基材に支持される隅棟梁であって、斜材の下端部が水平に切断され、この水平切断部に水平板を一体に形成し、この水平板を支持基材に接合可能にするものである。
【００１１】
請求項２の発明は、請求項１の発明において更に、前記水平板が、支持基材の上面から突出するボルトを通す貫通孔を備えるものである。
【００１２】
請求項３の発明は、請求項１又は２の発明において更に、前記水平板が、支持基材に止着されるビスのためのビス孔を備えるものである。
【００１３】
尚、支持基材としては、柱材、壁の横材や縦材の如くの各種支持部材を広く含む。
【００１４】
【作用】
請求項１の発明によれば下記▲１▼、▲２▼の作用がある。
▲１▼隅棟梁の斜材に一体に形成した水平板を支持基材に接合すものであり、現地の作業工数を少なくできる。
【００１５】
▲２▼隅棟梁に一体に形成してある水平板を支持基材に直接的に接合するものであり、屋根に作用する吹上力を隅棟梁から支持基材に直接伝えるものになり、吹上力に対し十分な耐力を確保できる。
【００１６】
請求項２の発明によれば下記▲３▼の作用がある。
▲３▼隅棟梁に一体に形成してある水平板を支持基材の上面から突出するボルトに挿通して固定化するものであり、垂直方向の外力に対し十分に抵抗できる。
【００１７】
請求項３の発明によれば下記▲４▼の作用がある。
▲４▼隅棟梁に一体に形成してある水平板をビスにより支持基材に固定化するものであり、水平方向の外力に対し十分に抵抗できる。
【００１８】
【発明の実施の形態】
図１は隅棟梁の支持構造を示す平面図、図２は図１のＩＩ−ＩＩに沿う断面図、図３は図１のＩＩＩ−ＩＩＩに沿う断面図、図４は隅棟梁を示し、（Ａ）は正面図、（Ｂ）は端面図、図５は隅棟梁の要部を示し、（Ａ）は平面図、（Ｂ）は側面図である。
【００１９】
図１〜図３は、ユニット建物等において、建物ユニット等の建物躯体の上部に搭載され、屋根のコーナー部に任意の勾配の屋根材を支持するための寄棟ユニット１０の要部を示すものである。
【００２０】
寄棟ユニット１０は、四角枠状の構造体２０のコーナー部から傾斜状に立上る隅棟１１に沿って設置される隅棟梁３０を有し、隅棟梁３０の上に任意の勾配の屋根材を支持し、寄棟屋根を構成可能にする。
【００２１】
構造体２０は、四角枠状をなし、４個のコーナー部に木質（鉄骨でも可）の柱２１を立設し、相隣る柱２１の間に木質（鉄骨でも可）の壁２２を架け渡して構成される。壁２２は、内側に石膏ボード２３を、外側に硬質木片セメント板２４を貼着され、ボルト２５により柱２１に接合される。
【００２２】
隅棟梁３０は、寄棟ユニット１０の隅棟１１に沿って傾斜配置されるＨ形鋼等からなる斜材３１を有し、斜材３１の下端部が、支持基材としての構造体２０の柱２１、壁２２に支持される。
【００２３】
隅棟梁３０は、図４、図５に示す如く、斜材３１の下端部が、該斜材３１の中心軸に対して斜めに交差することとなる水平に切断され、この水平切断部に平板状鋼板等からなる水平板３２を溶接して一体に形成し、この水平板３２を構造体２０の柱２１、壁２２に接合する。
【００２４】
水平板３２は、柱２１の上面から突出するボルト３３を通す貫通孔３２Ａを備える。水平板３２は、寄棟ユニット１０の平面視で、隅棟１１のライン上に１個の貫通孔３２Ａを備える。
【００２５】
水平板３２は、壁２２に止着されるビス３４のためのビス孔３２Ｂを備える。水平板３２は、寄棟ユニット１０の平面視で、ボルト３３のための貫通孔３２Ａから妻方向に延びるラインの両側に複数のビス孔３２Ｂを備えるとともに、該貫通孔３２Ａから桁方向に延びるラインの両側に複数のビス孔３２Ｂを備える。
【００２６】
尚、隅棟梁３０は、斜材３１の上フランジの外面に笠木３５をボルト結合するとともに、斜材３１の下フランジの外面に合板３６をビス止めする。そして、隅棟梁３０は、笠木３５の一側部から合板３６の一側部に渡って石膏ボード３７Ａを添設し、笠木３５の他側部から合板３６の他側部に渡って石膏ボード３７Ｂを添設し、合板３６の外面に石膏ボード３７Ｃを添設して備える。
【００２７】
従って、隅棟梁３０は、構造体２０のコーナー部で、柱２１、壁２２の上に隅棟梁３０の水平板３２を載置し、柱２１の上面から突出するボルト３３に水平板３２の貫通孔３２Ａを挿通してナット３３Ａで締結するとともに、ビス３４を水平板３２のビス孔３２Ｂに通して壁２２に止着することにて固定される。
【００２８】
寄棟ユニット１０は、隅棟梁３０の笠木３５の上に断熱パネルを固定し、その上に防水シート及び瓦等の屋根材を載せて寄棟屋根を構成する。
【００２９】
本実施形態によれば以下の作用効果を有する。
▲１▼隅棟梁３０の斜材３１に一体に形成した水平板３２を柱２１、壁２２に接合すものであり、現地の作業工数を少なくできる。
【００３０】
▲２▼隅棟梁３０に一体に形成してある水平板３２を柱２１、壁２２に直接的に接合するものであり、屋根に作用する吹上力を隅棟梁３０から柱２１、壁２２に直接伝えるものになり、吹上力に対し十分な耐力を確保できる。
【００３１】
▲３▼隅棟梁３０に一体に形成してある水平板３２を柱２１の上面から突出するボルト３３に挿通して固定化するものであり、垂直方向の外力に対し十分に抵抗できる。
【００３２】
▲４▼隅棟梁３０に一体に形成してある水平板３２をビス３４により壁２２に固定化するものであり、水平方向の外力に対し十分に抵抗できる。
【００３３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の隅棟梁は、寄棟ユニットに用いるものに限らず、一般の建物ユニットの上部に設置して用いることもできるし、ユニット建物に限らず、一般建物にも適用できる。
【００３４】
【発明の効果】
本発明によれば、建物の支持基材に隅棟梁を簡易かつ強固に支持することができる。
【図面の簡単な説明】
【図１】図１は隅棟梁の支持構造を示す平面図である。
【図２】図２は図１のＩＩ−ＩＩに沿う断面図である。
【図３】図３は図１のＩＩＩ−ＩＩＩに沿う断面図である。
【図４】図４は隅棟梁を示し、（Ａ）は正面図、（Ｂ）は端面図である。
【図５】図５は隅棟梁の要部を示し、（Ａ）は平面図、（Ｂ）は側面図である。
【符号の説明】
１１  隅棟
２１  柱（支持基材）
２２  壁（支持基材）
３０  隅棟梁
３１  斜材
３２  水平板
３２Ａ  貫通孔
３２Ｂ  ビス孔
３３  ボルト
３４  ビス
【図１】
2004285674.tif 000003
【図２】
2004285674.tif 000004
【図３】
2004285674.tif 000005
【図４】
2004285674.tif 000006
【図５】
2004285674.tif 000007